(57)【特許請求の範囲】
【請求項１】
それぞれの先端側を咬持片部とし、後端側を開操作片部として相互を略中央部位置にて回動自在に連結する支軸にばね材を介装させて前記咬持片部を常閉方向へと付勢して一体的に対向配置される絶縁性樹脂材からなる一方のクリップ片と他方のクリップ片とで構成され、
これらのクリップ片における少なくともいずれか一方の前記咬持片部の先端側には、断面略円形を呈する咬持対象部材側への掛止を可能に突設され、かつ、前記クリップ片側が外力を受けて前記咬持対象部材の長さ方向に対し斜め方向に傾こうとする際に該咬持対象部材側に面接触してその滑動を阻止する凹曲面をその外側面に設けてなる牙部を備え、
前記咬持片部相互を前記咬持対象部材に咬持させた際に前記牙部を前記咬持対象部材に掛止させて脱落困難な安定した咬持力の付与を可能としたことを特徴とするクリップ。
【請求項２】
前記牙部は、その閉止時に相互に隣り合う位置関係のもとで一方の前記咬持片部と他方の前記咬持片部との両先端側に各別に具備させた請求項１に記載のクリップ。
【請求項３】
前記牙部は、前記咬持片部の先端側における一端側と他端側とにおける少なくともいずれか一方の側に突設した請求項１または２に記載のクリップ。
【請求項４】
前記牙部は、前記咬持片部の先端側の一端側と他端側とに一対となって突設した請求項１ないし３のいずれかに記載のクリップ。
【請求項５】
前記凹曲面は、前記咬持対象部材の外径との関係で定まる曲率を付与して形成した請求項１ないし４のいずれかに記載のクリップ。
【請求項６】
前記凹曲面には、摩擦係数を高めるための滑動阻止部材を配設した請求項１ないし５のいずれかに記載のクリップ。
【請求項７】
前記咬持片部相互の対向面には、鋸歯状の歯部を各別に設けた請求項１ないし６のいずれかに記載のクリップ。
【請求項８】
前記クリップ片のうち、少なくともいずれか一方のクリップ片の前記咬持片部内には、静電誘導により電荷を検知する検知子を内蔵させるとともに、該検知子にその一端部を接続させたコードを前記開操作片部の開放端側から引き出した請求項１ないし７のいずれかに記載のクリップ。
【発明の詳細な説明】
【技術分野】
【０００１】
本発明は、咬持対象部材に咬持させるためのクリップに係り、特に、現場測定器を用いて咬持対象部材である被覆電線側から必要なデータを得ようとして該被覆電線に安定的に咬持させておく際に好適に用いることができるクリップに関する技術である。
【背景技術】
【０００２】
測定現場に持ち込んで電気的な測定作業を行う際に用いられる現場測定器としては、その目的に応じて用意されるテスタ、絶縁抵抗計、接地抵抗計、検相器、検電器、クランプ電流計などがある。
【０００３】
これらのうち、検相器や検電器などの静電誘導検出器は、検査対象である帯電体としての交流電路から静電誘導により電荷を検出するためのセンサ電極が検知子として配設されており、特に、検相器については、電動機、発電機、継電器などの三相機器を操作したり設置する際における交流三相回路の相順（相回転）を表示する検出器として用いられている。
【０００４】
すなわち、例えばファンやポンプの三相誘電電動機を運転する場合には、予め検相器を用いて交流三相回路の相順を検知し、正しい接続が行われいるか否かを予め知っておくことで逆回転による傷害を事前に予防することができる。
【０００５】
この場合、検相器による交流三相回路の相順は、３本で構成される各被覆電線に対し例えば下記非特許文献１に記載されている検相器が備えるクリップを各別に咬持させた状態のもとで検知されることになる。
【先行技術文献】
【非特許文献】
【０００６】
【非特許文献１】「２０１２  電気計測器総合カタログ（１０３頁）」日置電機株式会社発行
【０００７】
上記した非特許文献１に示されているクリップは、検知子であるセンサ電極の外側を絶縁性の合成樹脂ケースで囲い込むようにして覆った鰐口形状を呈する非接触タイプの構造を備えてその全体が形成されている。
【０００８】
この場合、上記クリップは、合成樹脂ケースが前端部側に備える上下の咬持部が常閉状態となるように付勢するねじりコイルばねを内蔵しているため、合成樹脂ケースがその後端部側に備える上下一対の開操作部を開操作しながら被覆電線を挟み込むように前記咬持部を送り込んだ上で、開操作部に対する開操作を解消することで被覆電線に咬持部を咬持させることができることになる。
【発明の概要】
【発明が解決しようとする課題】
【０００９】
しかし、非特許文献１に示されているクリップは、被覆電線の長さ方向と直交する方向から咬持部を送り込んで単に挟持させることで被覆電線に取り付けようとするものであることから、開操作部側に予期せぬ外力がかかったりした際に外れやすいという不都合があった。
【００１０】
本発明は、上記した従来技術の課題に鑑み、被覆電線等の咬持対象物に取り付けた後に予期せぬ外力が開操作片部側にかかっても簡単には外れないようにしたクリップを提供することを目的とする。
【課題を解決するための手段】
【００１１】
本発明は、上記目的を達成すべくなされたものであり、それぞれの先端側を咬持片部とし、後端側を開操作片部として相互を略中央部位置にて回動自在に連結する支軸にばね材を介装させて前記咬持片部を常閉方向へと付勢して一体的に対向配置される絶縁性樹脂材からなる一方のクリップ片と他方のクリップ片とで構成され、これらのクリップ片における少なくともいずれか一方の前記咬持片部の先端側には、断面略円形を呈する咬持対象部材側への掛止を可能に突設され、かつ、前記クリップ片側が外力を受けて前記咬持対象部材の長さ方向に対し斜め方向に傾こうとする際に該咬持対象部材側に面接触してその滑動を阻止する凹曲面をその外側面に設けてなる牙部を備え、前記咬持片部相互を前記咬持対象部材に咬持させた際に前記牙部を前記咬持対象部材に掛止させて脱落困難な安定した咬持力の付与を可能としたことを最も主要な特徴とする。
【００１２】
この場合、前記牙部は、その閉止時に相互に隣り合う位置関係のもとで一方の前記咬持片部と他方の前記咬持片部との両先端側に各別に具備させることもできる。また、前記牙部は、前記咬持片部の先端側における一端側と他端側とにおける少なくともいずれか一方の側に突設することもできる。さらに、前記牙部は、前記咬持片部の先端側の一端側と他端側とに一対となって突設するものであってもよい。
【００１３】
また、前記凹曲面は、前記咬持対象部材の外径との関係で定まる曲率とするのが望ましい。また、前記凹曲面には、摩擦係数を高めるための滑動阻止部を設けておくこともできる。さらに、前記咬持部相互の対向面には、鋸歯状の歯部を各別に設けておくのが望ましい。
【００１４】
また、前記クリップ片のうち、少なくともいずれか一方のクリップ片の前記咬持片部内には、静電誘導により電荷を検知する検知子を内蔵させるとともに、該検知子にその一端部を接続させたコードを前記開操作片部の開放端側から引き出しておくこともできる。
【発明の効果】
【００１５】
請求項１の発明によれば、咬持対象部材に咬持させたクリップは、少なくともいずれか一方の咬持片部の先端側に突設された牙部を咬持対象部材側に掛止させることができるほか、外力を受けて咬持対象部材の長さ方向に対し斜め方向に傾こうとする際に牙部の外側面に設けられている凹曲面を面接触させてその滑動を阻止することで、クリップ側が斜め方向に傾く動きを効果的に阻止することができる。その結果、咬持対象部材に対してのクリップの脱落防止効果を向上させることができる。
【００１６】
請求項２の発明によれば、牙部は、その閉止時に相互に隣り合う位置関係のもとで一方の咬持片部と他方の咬持片部との両先端側に各別に設けられているので、咬持対象部材側に対しより外れにくい状態のもとで咬持させておくことができる。
【００１７】
請求項３の発明によれば、牙部は、咬持片部の先端の一端側と他端側とにおける少なくともいずれか一方の側に突設されているので、咬持対象部材に対し牙部をより近づけて配置して安定的に咬持させておくことができる。
【００１８】
請求項４の発明によれば、牙部は、咬持片部の先端側の一端側と他端側とに一対となって突設されているので、咬持対象部材に対し、より安定した咬持力を発揮させることができる。
【００１９】
【００２０】
請求項５の発明によれば、凹曲面が咬持対象部材の外径との関係で定まる曲率が付与されて形成されているので、咬持対象部材との関係でより広い面接触領域を確保することができことから、さらに斜め方向に傾く動きを効果的に阻止することができる。したがって、咬持対象部材に対してのクリップの脱落防止効果をより向上させることができる。
【００２１】
請求項６の発明によれば、凹曲面にさらに摩擦係数を高めるための滑動阻止部材が付加形成されているので、咬持時に咬持対象部材の長さ方向に対し斜め方向に傾こうとする際に凹曲面を高い摩擦力を伴わせた状態のもとで面接触させてその滑動を阻止することで、斜め方向に傾く動きをより確実に阻止することができる。その結果、咬持対象部材に対してのクリップの脱落防止効果をより一層向上させることができる。
【００２２】
請求項７の発明によれば、咬持部相互の対向面には、鋸歯状の歯部が各別に設けられているので、これらの歯部相互間で咬持対象部材を強固に咬持させることで、咬持対象部材に対する咬持状態をより確実なものとすることができる。
【００２３】
請求項８の発明によれば、咬持部内に静電誘導により電荷を検知する検知する検知子が内蔵されており、該検知子にその一端部側を接続させたコードが開操作部の開放端側から引き出されているので、検相器などの静電誘導検出器用の非接触タイプのクリップとして好適に用いることができる。
【図面の簡単な説明】
【００２４】
【図１】本発明の基本構成を一部を省略して示す正面図。
【図２】図１の縦断面図。
【図３】図１における咬持片部を開状態のもとで示す要部斜視図。
【図４】図１に示す咬持片部を咬持対象物に咬持させた状態で示す説明図。
【図５】図４に示す咬持状態のもとで開操作片部側に外力がかけられた際の状況を示す説明図。
【図６】本発明の第１の例につき、咬持片部を開状態のもとで示す要部斜視図。
【図７】図６に示す第１の例を咬持対象物に咬持させた状態で示す説明図。
【図８】本発明の第２の例につき、咬持片部を開状態のもとで示す要部斜視図。
【発明を実施するための形態】
【００２５】
以下、図面を参照して本発明の実施形態を具体的に説明する。まず、図１および図２に示す本発明の基本構成によれば、それぞれの先端側を咬持片部１３，２３とし、後端側を開操作片部１５，２５として相互を長さ方向略中央部にて回動自在に連結する支軸４３にねじりコイルばね３４などからなるばね材３３を介装させて咬持片部１３，２３を常閉方向へと付勢して一体的に対向配置される絶縁性樹脂材からなる一方のクリップ片１２と他方のクリップ片２２とでクリップ１１の全体が構成されている。なお、図中の符号２０，３０は、手指が咬持片部１３，２３側に位置するのを阻止する障壁部を示す。
【００２６】
この場合、一方のクリップ片１２と他方のクリップ片２２とは、いずれも縦方向に二つ割されて形成されており、それぞれを対面合致させて一体化した際に内部に空間部１９，２９を確保することができるようにして形成されている。
【００２７】
また、図１において上側に位置する一方のクリップ片１２は、障壁部２０の前側近傍位置である略中央部に位置する両側面に対向配置された軸支孔１６を備えているほか、咬持片部１３において他方のクリップ片２２の咬持片部２３との対向面であるやや凹陥された面に鋸歯状に設けられた歯部１７と、開操作片部１５における手指接触面側に設けられた複数列の段部１８とを備えて形成されている。
【００２８】
さらに、図１において下側に位置する他方のクリップ片２２は、その略中央部に位置する両側面に対向配置された一対の軸受け部２６，２６を備えている。そして、各軸受け部２６は、他方のクリップ片１２と組み合わされた際にその軸支孔１６と対面する位置に設けられた通孔２６ａを備えている。また、一対の軸受け部２６，２６相互間の前面側は、遮蔽部２６ｂで覆われている。
【００２９】
また、他方のクリップ片２２は、その咬持片部２３において一方のクリップ片１２の咬持片部１３との対向面であるやや凹陥された面に鋸歯状に設けられた歯部２７と、開操作片部２５における手指接触面側に設けられた複数列の段部２８とを備えて形成されている。
【００３０】
ばね材３３としてのねじりコイルばね３４は、支軸４３が挿通されるコイル状部３５と、該コイル状部３５の一方端側から引き出されて一方のクリップ片１２側に掛止される一側掛止腕部３６と、同じくコイル部３５の他方端側から引き出されて他方のクリップ片２２側に掛止される他側掛止腕部３７とを備えて形成されている。
【００３１】
このため、両クリップ片１２，２２は、咬持片部１３，２３相互が常閉方向へと付勢された状態のもとで支軸４３を介して一体的に組み合わせることでクリップ１１として用いることができることになる。
【００３２】
しかも、このような構成からなるクリップ１１は、一方のクリップ片１２における咬持片部１３の先端側の一端側と他端側とに、図３に示すように他方のクリップ片２２側に向けて突設された左右一対の牙部１４，１４を備えている。
【００３３】
また、他方のクリップ片２２は、その閉止時に牙部１４，１４相互間に位置させるべく突設された牙部２４と、閉止時に各牙部１４を受け入れるための凹部３１とを咬持片部２３の先端側に備えている。
【００３４】
このため、クリップ１１には、一方のクリップ片１２における一対の牙部１４，１４と、他方のクリップ片２２における牙部２４とを介することで、図４に示すように断面略円形を呈する被覆電線５２などの咬持対象部材５１に対する離脱困難な安定した咬持力を付与することができることになる。また、クリップ１１は、咬持対象部材５１に図４に示すように咬持させた際に、図５にＡとして示す方向に外力が作用しても外れることはなく、図５にＢとして示す方向に外力が作用した場合であっても傾きはするものの外れにくい。
【００３５】
しかも、図１および図２からも明らかなように、他方のクリップ片２２の咬持片部２３内には、静電誘導により電荷を検知するセンサ電極などの検知子４８が内蔵されており、該検知子４８にその一端部側を接続させたコード４９が開操作片部２５の開放端２５ａ側から引き出されている。なお、検知子４８は、一方のクリップ片１２の咬持片部２３内のみに、あるいは両クリップ片１２，２２の咬持片部１３，２３内に内蔵させておくこともできる。
【００３６】
図６は、本発明の第１の例を示すものであり、図３に示す基本構成とは一対の牙部１４，１４の具体的な構成を異にするのみであり、クリップ１１の基本構造は図３と異ならないので、それぞれの対応部位には同じ符号を付してその説明を省略する。
【００３７】
すなわち、図６に示す本発明の第１の例においては、一方のクリップ片１２が備える各牙部１４の外側面に、その咬持時に被覆電線５２などの咬持対象部材５１の長さ方向に対し斜め方向に傾いた際に面接触する凹曲面２１が設けられている。
【００３８】
この場合、各凹曲面２１は、できるだけ広い面接触領域を確保する必要から、被覆電線５２などの咬持対象部材５１の具体的な外径との関係で定まる曲率を付与して形成するのが望ましい。
【００３９】
図８は、本発明の第２の例を示すものであり、これも図３とは一対の牙部１４，１４の具体的な構成を異にするのみであり、クリップ１１の基本構造は図３と異ならないので、それぞれの対応部位には同じ符号を付してその説明を省略する。
【００４０】
すなわち、図８に示す本発明の第２の例においては、一方のクリップ片１２が備える各牙部１４の外側面に第１の例と同様な凹曲面２１が設けられている。しかも、各凹曲面２１の表面には、摩擦係数を高めるための滑動阻止部材４５が配設されている。この場合における滑動阻止部材４５は、目の粗いシボ加工を施したり、梨地仕上げなどによる細かい凹凸をつけたり鋸歯状のギザギザを付けたりする加工を施して形成することができるほか、例えばゴム材やウレタン樹脂材などのような摩擦係数の高い素材を凹曲面２１に貼着するなどして形成することができる。
【００４１】
次に、本発明の作用・効果を説明すれば、クリップ１１の不使用時には、図１および図２に示されているように、一方のクリップ片１２と他方のクリップ片２２とがねじりコイルばね３４などのバネ材３３により付勢されて、咬持持片部１３，２３相互が閉止された状態となっている。
【００４２】
一方、使用に際しては、一方のクリップ片１２の開操作片部１５と他方のクリップ片２２の開操作片部２５とを作業者がねじりコイルばね３４などのばね材３３の付勢力に抗して押し込むことで、それぞれの咬持片部１３，２３を必要開度まで拡開させることができる。
【００４３】
被覆電線５２などの咬持対象部材５１に対しては、このようにして拡開させた状態のもとでその長さ方向と略直交する方向から咬持片部１３，２３を挟むように送り込んだ上で、開操作片部１５，２５に対する押し込み力を解除することで、咬持片部１３，２３を図４に示すように咬持させることができる。
【００４４】
このとき、一方のクリップ片１２が咬持片部１３に備えている左右一対の牙部１４，１４は、図４からも明らかなように咬持対象部材５１の周方向に沿わせるようにして配置することができる。
【００４５】
このため、咬持対象部材５１に咬持させたクリップ１１は、図５に示すように仮に咬持対象部材５１の長さ方向に対し斜め方向に傾いてしまうことがあっても、いずれか一方の牙部１４を咬持対象部材５１側に掛止させることができるので、外れにくい状態のもとで咬持させておくことができる。
【００４６】
さらに、クリップ１１における咬持部１３のやや凹陥された面には鋸歯状部１７が、咬持部２３のやや凹陥された面には鋸歯状部２７がそれぞれ列設されている場合には、鋸歯状部１７と鋸歯状部２７とで咬持対象部材５１を摩擦を伴わせて包み込むように咬持させることで、咬持対象部材５１に対する咬持状態をより確実なものとすることができる。
【００４７】
また、本発明の第１の例である図６に示すクリップ１１は、一方のクリップ片１２が咬持片部１３に備えている左右一対の牙部１４，１４のそれぞれの外側面１４ａに凹曲面２１を備えているので、咬持時に咬持対象部材５１の長さ方向に対し斜め方向に傾こうとする際に凹曲面２１を面接触させてその滑動を阻止することで、斜め方向に傾く動きを阻止することができる。その結果、咬持対象部材５１に対してのクリップ１１の脱落防止効果を向上させることができる。
【００４８】
しかも、該凹曲面２１が咬持対象部材５１の外径との関係で定まる曲率が付与されて形成されている場合には、咬持対象部材５１との関係でより広い面接触領域を確保することができ、さらに斜め方向に傾く動きを効果的に阻止することができる。したがって、咬持対象部材５１に対してのクリップ１１の脱落防止効果をより向上させることができる。
【００４９】
さらに、本発明の第２の例である図８に示すクリップ１１は、第２の例の凹曲面２１にさらに摩擦係数を高めるための滑動阻止部材４５が付加形成されているので、咬持時に咬持対象部材５１の長さ方向に対し斜め方向に傾こうとする際に凹曲面２１を高い摩擦力を伴わせた状態のもとで面接触させてその滑動を阻止することで、斜め方向に傾く動きをより確実に阻止することができる。その結果、咬持対象部材５１に対してのクリップ１１の脱落防止効果をより一層向上させることができる。
【００５０】
以上は、本発明を図示例に即して説明したものであり、その具体的な実施形態はこれに限定されるものではない。例えば、牙部１４，２４は、その閉止時に相互に隣り合う位置関係のもとで一方の咬持片部１３と他方の咬持片部２３との両先端側に各別に具備させておくこともできる。また、牙部は、図１に示すような一方のクリップ片１２の咬持片部１３側における牙部１４としてではなく、図３に示すように他方のクリップ片２２の咬持片部２３側に牙部２４として設けておくこともできる。また、牙部１４または２４は、咬持片部１３，２３の先端側の中央部位を含む適宜位置に１本構成のもとで、あるいは先端の一端側と他端側とにおける少なくともいずれか一方の側に偏らせた１本構成のもとで突設しておくこともできる。また、図６〜８においては、一方のクリップ片１２の牙部１４に凹曲面２１が形成されている例が示されているが、図６などに示されている他方のクリップ片２２の牙部２４にも同様の構成のもとで凹曲面を形成しておくことができる。さらに、ばね材３４は、咬持部１３，２３相互を常閉方向へと付勢することができるものでさえあれば、ねじりコイルばね３４以外の板ばね等であってもよい。
【産業上の利用可能性】
【００５１】
本発明に係るクリップは、断面略円形を呈する各種の咬持対象部材に咬持させる際に用いるものでさえあれば、検相器を含む静電誘導検出器用のクリップ以外の適宜の用途にも供することができる。
【符号の説明】
【００５２】
１１  クリップ
１２  クリップ片
１３  咬持片部
１３ａ  対向面
１４  牙部
１５  開操作片部
１６  軸支孔
１７  歯部
１８  段部
１９  空間部
２０  障壁部
２１  凹曲面
２２  クリップ片
２３  咬持片部
２３ａ  対向面
２４  牙部
２５  開操作片部
２５ａ  開放端
２６  軸受け部
２６ａ  通孔
２６ｂ  遮蔽部
２７  歯部
２８  段部
２９  空間部
３０  障壁部
３１  凹部
３３  ばね材
３４  ねじりコイルばね
３５  コイル状部
３６  一側掛止腕部
３７  他側掛止腕部
４３  支軸
４５  滑動防止部材
４８  検知子
４９  コード
５１  咬持対象部材
５２  被覆電線
【図１】
0006018806.tif 000002
【図２】
0006018806.tif 000003
【図３】
0006018806.tif 000004
【図４】
0006018806.tif 000005
【図５】
0006018806.tif 000006
【図６】
0006018806.tif 000007
【図７】
0006018806.tif 000008
【図８】
0006018806.tif 000009